(57)【要約】【課題】  トラックジャンプを必要とせず、トラッキングの位置決めを容易にし、フォーカシングの制御精度を悪化させることなく、１つのランドまたはグルーブに光スポットを２つ以上配置することができる光ディスクおよび光ディスク記録再生装置を提供する。【解決手段】  光ディスクＯＤは、レーザダイオードアレイ５により、レーザ光を照射することで形成される所定数の光スポットＳを用いて、記録層を形成する、スパイラル状の溝部であるグルーブまたは平坦部であるランドにデータの記録を行うもので、光スポットを半径方向に列べた際に、光スポットの所定数が収まる幅をグルーブまたはランドが備えてなる多ビーム記録フォーマット領域と、１つの光スポットが収まる幅をグルーブまたはランドが備えてなる共通記録フォーマット領域とを有している。【選択図】      図１
2006209811.tif 000002
【特許請求の範囲】
【請求項１】
レーザ光照射手段により、レーザ光を照射することで形成される所定数の光スポットを用いて、データが記録される光ディスクであって、
前記データが記録される、スパイラル状の溝部であるグルーブと平坦部であるランドとによって形成される記録層を備え、
前記光スポットを半径方向に等間隔に列べた際に、前記光スポットの所定数が収まる幅を、前記グルーブまたは前記ランドが備えることを特徴とする光ディスク。
【請求項２】
レーザ光照射手段により、レーザ光を照射することで形成される所定数の光スポットを用いて、データが記録される光ディスクであって、
前記データが記録される、スパイラル状の溝部であるグルーブと平坦部であるランドとによって形成され、多ビーム記録フォーマット領域と共通記録フォーマット領域とを有する記録層を備え、
前記多ビーム記録フォーマット領域は、前記光スポットを半径方向に等間隔に列べた際に、前記光スポットの所定数が収まる幅を、前記グルーブまたは前記ランドが備えており、
前記共通記録フォーマット領域は、１つの前記光スポットが収まる幅を、前記グルーブまたは前記ランドが備えていることを特徴とする光ディスク。
【請求項３】
請求項１または請求項２に記載の光ディスクを用いて、データの記録再生を行う光ディスク記録再生装置であって、
前記光ディスクに照射するレーザ光のビーム数および強度を制御すると共に、当該レーザ光によって前記光ディスク上に形成される光スポットの位置に基づいて、フォーカシング制御およびトラッキング制御を行う制御手段と、
この制御手段による制御に従って、前記光ディスクに、複数のレーザ光を同時にまたは単数のレーザ光を照射するレーザ光照射手段と、
このレーザ光照射手段で照射されるレーザ光のビームピッチを変換するビームピッチ変換手段と、
このビームピッチ変換手段でビームピッチが変換されたレーザ光を平行光にするコリメータレンズと、
このコリメータレンズで平行光にされたレーザ光を透過させると共に、前記光ディスクで反射された反射レーザ光を半反射させるビームスプリッタと、
このビームスプリッタで透過された平行光のレーザ光を透過させると共に、前記光ディスクで反射した反射レーザ光の偏光状態を変更する位相差板と、
この位相差板を透過した平行光のレーザ光を所定の焦点距離に合焦させる対物レンズと、
前記ビームスプリッタで半反射された反射レーザ光を集光させる集光レンズと、
この集光レンズで集光された反射レーザ光の有無を読み取る光検出器と、
を備えることを特徴とする光ディスク記録再生装置。
【請求項４】
前記レーザ光照射手段は、前記光ディスクの半径方向に対して複数列に、複数個のレーザ光を照射することを特徴とする請求項３に記載の光ディスク記録再生装置。
【発明の詳細な説明】
【技術分野】
【０００１】
本発明は、データの記録再生速度を増加させる光ディスクおよび光ディスク記録再生装置に関する。
【背景技術】
【０００２】
一般的に、光ディスクに記録再生を行う光ディスク記録再生装置において、データの記録再生速度を増加させるために、複数の光スポットを当該光ディスクの面上に形成する方法が知られている。複数の光スポットは、発振波長の等しい光源を用いて、同じ形状に形成されており、複数の光スポットを光ディスク上に形成する方法では、複数の光スポット（ビーム）を同時に用いて並列に記録または再生することによりこの光スポットの数に比例して、データの記録再生速度を増加させることが可能となる。
【０００３】
また、光ディスク記録再生装置に備えられている光ヘッド（光学系）は大きく、光ヘッドの数を増やさずに、光スポットの数を増加させることが望まれている。つまり、光ディスク記録再生装置を大きくしないために、この光ディスク記録再生装置では、複数の光源からのビームを１つの対物レンズで結像して、複数の光スポットを形成できる光ヘッドが求められている（例えば、特許文献１，２，３参照）。
【０００４】
例えば、複数の光スポットを光ディスク上に形成する技術的な方法として次に示す（イ）〜（ハ）が挙げられる。（イ）光ヘッドの数を増加させる。（ロ）ビームを光学的に合成することで、１つの光学系に複数のビームで共有させて当該複数のビームを伝搬させる。（ハ）（イ）と（ロ）とを組み合わせる。
【０００５】
しかし、光ディスク記録再生装置では、光ディスクの最内周（半径２４ｍｍ程度）から最外周（半径５８ｍｍ程度）まで対物レンズがシークするため、この対物レンズのシークに伴って光ヘッドが移動する範囲（占有する面積）が非常に広くなる。このため、光ディスク記録再生装置全体を小型化するためには「光ヘッドの数を増加させずに、光スポットの数を増加させること」、つまり、（ロ）の方法を用いて、複数の光スポットを形成することが望まれている。
【０００６】
ここで、従来の複数の光スポットを光ディスク上に形成する光ディスク記録再生装置（以下、多ビーム光ディスク記録再生装置という）における光ヘッドと、光ディスク表面とについて図７を参照して説明する。図７（ａ）は光ヘッドと光ディスクとの概略を示した模式図であり、図７（ｂ）および図７（ｃ）は光ディスク表面を拡大して概略を示した模式図である。
【０００７】
図７（ａ）に示すように、多ビーム光ディスク記録再生装置の光ヘッド１０１は、レーザ光照射手段１０３と、対物レンズ１０５とによって構成されている。レーザ光照射手段１０３は、レーザ光を発生させる光源であると共に、ここではレーザ光を平行光（コリメータビーム）にして、多重する（光学的に合成する）コリメータレンズ（図示せず）を備えている。また、対物レンズ１０５は、レーザ光照射手段１０３で発生され、コリメータレンズで平行光にされて多重された多重コリメータビームを入射し、光ディスク上で複数の光スポットを形成するものである。
【０００８】
図７（ｂ）に示すように、光ディスク表面上にはｎ個の光スポットＳ（Ｓ1、Ｓ2、・・・Ｓn）が１列に、等間隔に配置されている。ここでは、光スポットＳを光ディスクの内側（図７（ｂ）の左側）から順に、光スポットＳ1、光スポットＳ2、・・・、光スポットＳnとする。
【０００９】
なお、光ディスク表面（記録層の表面）にはスパイラル状（渦巻き状）に溝部（凹部、グルーブ）が、当該溝部の間隔が等しくなるように刻まれており、この溝部以外の部分は平坦部（凸部、ランド）になっている。ここでは、平坦部に、データの有無を示すマーク（記録マーク）が記録されるものとして説明をする。ちなみに、トラックピッチは光スポットのサイズ（対物レンズの開口数と光源波長で定まる回折限界）よりも小さく、つまり、光スポットの間隔はトラックピッチよりも狭くすることはできない。
【００１０】
ところで、従来の多ビーム光ディスク記録再生装置には、例えば、次に述べる２つの特徴がある。
（１）１つのランド上に１つの光スポットが配置される場合、それぞれの光スポットの間隔（ピッチ）がトラックピッチ（ランドとランドとの距離）よりも広ければ、光スポットの配置を回転制御することにより、光ディスクの半径方向に連続するランドや、光ディスクの半径方向に飛び飛びのランドに、全ての光スポットを同時に配置することが可能になる。光スポットの間隔（ピッチ）が十分に広くても連続するランドに配置することは可能（半径方向とほぼ９０°となる）である。
【００１１】
ちなみに、現行の光ディスク（ＤＶＤ）および次世代ＤＶＤ規格の光ディスク（Ｂｌｕ−ｒａｙ  Ｄｉｓｃ）では、記録密度を高めるために、ビーム（多重コリメータビーム）を発射する光源の発振波長と、対物レンズの開口数とで定まる光スポットの回折限界よりもトラックピッチを狭くしている。この結果、光スポットの中心部分（エネルギー密度の高い部分）のみを使って、記録マークを記録したり再生したりしている。つまり、光スポットの周辺部分は記録マークの形成には全く寄与していない。なお、光ディスク（Ｂｌｕ−ｒａｙ  Ｄｉｓｃ）用の光ディスク記録再生装置では、トラックピッチは０．３２μｍであり、光スポットのサイズ（回折限界）は約０．５５μｍである。
【００１２】
例えば、ドーブのプリズム（両側面の形状が台形に形成された六面体のプリズムであり、平行系に挿入する）を用いれば、ある光スポットを中心にして、光ディスク上の像（光スポットの配置）を回転することができる。平行系とは、例えば、コリメータレンズと偏光ビームスプリッターとの間や、偏光ビームスプリッターと１／４波長板との間や、１／４波長板と対物レンズとの間等、入射された光が平行に伝搬する区間である。なお、図７（ｂ）では、光スポットＳ1を中心として、ドーブのプリズム（図示せず）によって像を回転し、光ディスクの半径方向に連続したランドに光スポットを配置している状態を示している。
【００１３】
（２）１つのランド上に２つの光スポットが配置される場合、（１）と同様の制御方法によって、光スポットの間隔によらず、同一のランドに２つの光スポットを同時に配置することができる。なお、同一のランドに同時に等間隔に光スポットを配置できる数は２つまでである（光スポットの数が２つの場合のみ適用できる）。同一のランドに同時に配置される２つの光スポットは、異なる機能が割り当てられており、例えば、一方の光スポットでデータの記録、他方の光スポットでデータの再生（ベリファイ、リアルタイムモニター）をすることができる。また、一方の光スポットでデータの消去、他方の光スポットでデータの記録をすることもできる。
【００１４】
これによれば、従来の光スポットの数が１つ（１チャンネル）の光ディスク記録再生装置においては、データの記録時に、１つの光スポットによって消去（ダイレクト記録［上書き］技術が適用される場合、省略される）、記録およびベリファイを行わなければならず、同一のランド（同一のトラック）を何回かトレースしなければならないが、２つの光スポットを用いることによって、データの消去およびデータの記録、または、ダイレクト記録技術が適用できる場合、消去・記録および再生（ベリファイ、リアルタイムモニター）を同時に行うことができ、記録速度を実質的に向上させることができる。なお、１つのランド上に２つの光スポットが配置される場合を、図７（ｃ）に示している。
【００１５】
（１）および（２）のいずれの場合においても、光ディスクの一部の領域に全ての光ディスクに共通な物理フォーマット（グルーブ・ランドの幅や記録マークの大きさ等）を設け、光ピックアップの構造（光ヘッドの機構）やサーボ制御の方法を変更するだけで、光スポットの数を増加させて、データの記録再生速度を増加させることができる。
【００１６】
【特許文献１】特開平８−１９０７２８号公報
【特許文献２】特開平１１−２７３０８０号公報
【特許文献３】特開２００２−１５７７７３号公報
【発明の開示】
【発明が解決しようとする課題】
【００１７】
しかしながら、これら（１）または（２）に述べた特徴を有す従来の多ビーム光ディスク記録再生装置には、次に述べる問題がある。
前記した（１）に述べた特徴を有す従来の多ビーム光ディスク記録再生装置の場合、光ディスク上に刻まれているグルーブ（溝部）はスパイラル状（渦巻き状）であるため、当該光ディスクが１周すると、隣接している光スポットが既に記録再生したトラックに移ってしまうので、当該光スポットを未記録または未再生のトラックにジャンプさせるトラックジャンプが必要になるという問題がある。例えば、２ビームの場合（２つの光スポットが形成される場合）は、１トラックジャンプが必要になり、ｎビームの場合は、（ｎ−１）トラックジャンプが必要になる。
【００１８】
また、前記した（１）に述べた特徴を有す従来の多ビーム光ディスク記録再生装置の場合、この多ビーム光ディスク記録再生装置によって、光ディスクの記録再生の高速化や高密度化を行うためには、高精度のトラッキング制御が必要とされる。特に、次世代ＤＶＤ規格（Ｂｌｕ−Ｒａｙ−Ｄｉｓｃ規格）では、実験の結果、１ビーム光ディスク記録再生装置では、安定して、トラッキングを高速追従していた時、トラッキング誤差は常に１０ｎｍ以内であった。多ビーム光ディスク記録再生装置に対しても、現行の技術水準では、±１０ｎｍ程度で、これに従って、光スポットも配置しなければならず、光スポットの数が増加するにつれてトラッキングの位置決めが困難になるという問題がある。なお、現行のデバイス作製技術（半導体のデザインルールでは、例えば、０．０７μｍルール等）から類推すると、光スポットの間隔のゆらぎは±２０〜３０ｎｍ程度生じると予測される。
【００１９】
前記した（２）に述べた特徴を有す従来の多ビーム光ディスク記録再生装置の場合、光ディスクの半径方向の位置に応じて、光スポット間の間隔を個別に制御しなければ、１つのランド（平坦部）に光スポットを２つ以上増加することは困難であるという問題がある。なお、（２）に述べた特徴を有す従来の２ビームの多ビーム光ディスク記録再生装置の場合、再生速度に関しては、改善されていない。記録速度も、ダイレクト記録で高々２倍程度であり、普通の記録でも高々１．５倍程度の速度しか得られない。
【００２０】
具体的に、１ビーム光ディスク記録再生装置と２ビームの多ビーム光ディスク記録再生装置とについて、ダイレクト記録技術が用いられる場合、用いられない場合（ノンダイレクト記録）について説明する。ダイレクト記録技術が用いられる場合、１ビーム光ディスク記録再生装置は、１周目で消去および記録を、２周目で再生（ベリファイ）を行っている。また、ダイレクト記録技術が用いられる場合、２ビーム光ディスク記録再生装置は、１周目で消去、記録および再生（ベリファイ、リアルタイムモニター）を行っており、２周目は不要である。
【００２１】
ノンダイレクト記録の場合、１ビーム光ディスク記録再生装置は、１周目で消去、２周目で記録、３周目で再生（ベリファイ）を行っている。また、ノンダイレクト記録の場合、２ビーム光ディスク記録再生装置は、１周目で消去および記録を、２周目で再生（ベリファイ）を行っており、３周目は不要である。これにより、２ビーム光ディスク記録再生装置の記録速度は、１ビーム光ディスク記録再生装置の記録速度に比べて、ダイレクト記録技術が用いられる場合、１ビーム光ディスク記録再生装置では消去、記録および再生まで２周かかるところが、２ビーム光ディスク記録再生装置では１周で済むので、２倍になる。また、ノンダイレクト記録が用いられる場合、１ビーム光ディスク記録再生装置では消去、記録および再生まで３周かかるところが、２ビーム光ディスク記録再生装置では２周で済むので、１．５倍になる。
【００２２】
前記した（１）および（２）に述べた特徴を有す従来の多ビーム光ディスク記録再生装置に共通して、これら多ビーム光ディスク記録再生装置では、光ディスクの記録密度を高めるために、グルーブ（溝部）またはランド（平坦部）の幅を、ビーム（レーザ光）の回折限界まで絞ったサイズよりも狭くしている。このため、光スポットの周縁部がランドからグルーブにはみ出てしまい、ランドとグルーブとの境界壁で回折光が発生してしまう。この結果、光ディスク上で、光スポットが反射した反射光（再生光）の形状が歪んでしまい、フォーカシングの精度が悪化するという問題がある。
【００２３】
さらに、１ビームの光ディスク記録再生装置においては、ＣＤ装置から、ＤＶＤ装置、次世代ＤＶＤ装置に移行しており、技術的な進歩を遂げている。このように、この１ビームの光ディスク記録再生装置では、取り扱う光ディスクへのデータの記録再生の高速化、当該光ディスクの記録密度の高密度化が図られ、一方で、フォーカシングやトラッキングなど、光スポットの位置決めにますます高い精度が要求されている。
【００２４】
一方、多ビーム光ディスク記録再生装置の光スポットの位置決めでは（ａ）全体の位置決め制御、（ｂ）それぞれの光スポットを個別に制御の少なくとも１つを行う必要がある。これら２つの制御ができることが、光スポットの理想的な位置決めとなる。多ビーム光ディスク記録再生装置複数の光源を一体化（光集積化）して作製する場合、（ｂ）それぞれの光スポットが集光される位置を個別に制御はできなくなり、例えば、図７において、光スポットＳ2から光スポットＳnの位置を固定した状態で、光スポットＳ1のみの位置を制御することはできない。つまり、（ａ）全体の位置決め制御のみで全ての光スポットをランドの中心に配置させなくてはならない。
【００２５】
なお、多ビーム光ディスク記録再生装置を構成している現行の光デバイスを安価に作製（製造）するために、当該光デバイスは既存の装置を流用して、既存の作製プロセスに従って作製されている。例えば、半導体プロセスに従って、半導体レーザダイオードアレイを作製する場合、最新のデザインルール（例えば、６５ｎｍルール）では半導体レーザダイオードアレイを構成する各半導体レーザダイオードの配置精度は６５ｎｍ（±３２．５ｎｍ以下）と考えられるため、半導体レーザダイオードの間隔に少なくとも±６５ｎｍの作製誤差（作製ゆらぎ）を見込む必要がある。また、この半導体レーザダイオードアレイを光ヘッドに搭載した場合、光ディスク上では光学系の横倍率（コリメータレンズの焦点距離と対物レンズの焦点距離との比）だけ間隔のゆらぎが縮小される。
【００２６】
また、多ビーム光ディスク記録再生装置において、フォーマット上はコリメータレンズに関する規定はないが、横倍率が１／３〜１／２の光学系を用いると、光ディスク上における光スポットの間隔（ピッチ）のゆらぎが±２０ｎｍ〜３０ｎｍ程度発生すると推測される。従って、光スポットの個別制御ができない場合、いかなる全体制御による光スポットの位置決め方式を採用しても、１ビーム光ディスク記録再生装置を用いた実験から得られた、ランドまたはグルーブを精度よく高速に追従するための必要条件が満たされないことになる。
【００２７】
そこで、本発明では、前記した問題を解決し、トラックジャンプを必要とせず、トラッキングの位置決めを容易にし、フォーカシングの精度を悪化させることなく、１つのランドまたはグルーブに光スポットを２つ以上増加することができる光ディスクおよび光ディスク記録再生装置を提供することを目的とする。
【課題を解決するための手段】
【００２８】
前記課題を解決するため、請求項１記載の光ディスクは、レーザ光照射手段により、レーザ光を照射することで形成される所定数の光スポットを用いて、データが記録される光ディスクであって、前記データが記録される、スパイラル状の溝部であるグルーブと平坦部であるランドとによって形成される記録層を備え、前記光スポットを半径方向に等間隔に列べた際に、前記光スポットの所定数が収まる幅を、前記グルーブまたは前記ランドが備えることを特徴とする。
【００２９】
かかる構成によれば、光ディスクは、レーザ光照射手段によって形成される所定数の光スポットが収まるように、光スポットの所定数に応じた幅を、記録層を形成するグルーブまたはランドが有している。この光スポットの所定数に応じた幅の部分を、多ビーム記録フォーマット領域とすると、この多ビーム記録フォーマット領域を備えることで、従来の光ディスクと比較して、記録密度が同じで、１つのグルーブまたはランド上に全ての光スポットを配置させることができる。
【００３０】
つまり、グルーブまたはランドの幅を、従来の光ディスクのｎトラック分（グルーブとランドとを合わせた幅のｎ倍）にまで広げており、光スポットの数ｎが多くなるほど、グルーブまたはランドの幅は広くなる。なお、半径方向に隣接する光スポット同士の間隔は、等間隔に、互いに干渉しない程度に保たれる（例えば、２μｍ程度）。
【００３１】
請求項２記載の光ディスクは、レーザ光照射手段により、レーザ光を照射することで形成される所定数の光スポットを用いて、データが記録される光ディスクであって、前記データが記録される、スパイラル状の溝部であるグルーブと平坦部であるランドとによって形成され、多ビーム記録フォーマット領域と共通記録フォーマット領域とを有する記録層を備え、前記多ビーム記録フォーマット領域は、前記光スポットを半径方向に等間隔に列べた際に、前記光スポットの所定数が収まる幅を、前記グルーブまたは前記ランドが備えており、前記共通記録フォーマット領域は、１つの前記光スポットが収まる幅を、前記グルーブまたは前記ランドが備えていることを特徴とする。
【００３２】
かかる構成によれば、光ディスクは、多ビーム記録フォーマット領域を備えると共に、１つ（単数）の光スポットが収まる幅を、グルーブまたはランドが備える共通記録フォーマット領域を備えることで、従来の単数の光スポットを光ディスク上に形成する光ディスク記録再生装置によってデータの記録再生を行うことができ、複数の光スポットを光ディスク上に形成する光ディスク記録再生装置（多ビーム光ディスク記録再生装置）との互換性を維持することができる。
【００３３】
請求項３記載の光ディスク記録再生装置は、請求項１または請求項２に記載の光ディスクを用いて、データの記録再生を行う光ディスク記録再生装置であって、制御手段と、レーザ光照射手段と、ビームピッチ変換手段と、コリメータレンズと、ビームスプリッタと、位相差板と、対物レンズと、集光レンズと、光検出器と、を備える構成とした。
【００３４】
かかる構成によれば、光ディスク記録再生装置は、制御手段によって、光ディスクに照射するレーザ光のビーム数および強度を制御すると共に、当該レーザ光によって前記光ディスク上に形成される光スポットの位置に基づいて、フォーカシング制御およびトラッキング制御を行う。なお、レーザ光のビーム数は光スポットの数に相当し、レーザ光からの出射強度を高くすれば、データを記録することができ、レーザ光からの出射強度を低くすれば、データを非破壊で再生することができる。具体的に述べると、記録の場合、記録媒体上で７〜１０ｍＷ程度の光強度が必要であり、再生の場合、誤記録や誤消去を防ぐため、０．４〜０．８ｍＷ程度まで光強度を下げる必要がある。なお、記録または再生時にかかる光強度は、光ディスクの設計（材料、層構成等）や、光学系（レンズや偏光素子等）の設計や、レーザ光の波長を考慮して最適化する必要がある。
【００３５】
すなわち、制御手段は、光ディスク上に形成される複数の光スポットの中で、ある光スポットを基準にフォーカシング制御を行うと共に、光スポットの位置（より詳細には、光スポットのエッジ検出）に基づいて、トラッキング制御を行っている。
【００３６】
続いて、光ディスク記録再生装置は、レーザ光照射手段によって、制御手段による制御に従って、光ディスクに、複数のレーザ光を同時にまたは単数のレーザ光を照射し、ビームピッチ変換手段によって、照射されるレーザ光のビーム間隔を縮小させる。なお、複数のレーザ光を同時に照射するとは、光ディスクの多ビーム記録フォーマット領域に対して、データの記録再生を行う場合を指しており、単数のレーザ光を照射するとは、光ディスクの共通記録フォーマット領域に対して、データの記録再生を行う場合を指している。
【００３７】
そして、光ディスク記録再生装置は、コリメータレンズによって、ビームピッチ変換手段でビーム間隔が縮小されたレーザ光、つまり、レーザ光照射手段から発散された発散ビームを平行光にし、偏光ビームスプリッタによって、コリメータレンズで平行光にされたレーザ光を透過させる。そして、光ディスク記録再生装置は、位相差板によって、偏光ビームスプリッタで透過された平行光のレーザ光を透過させ、対物レンズによって、位相差板を透過した平行光のレーザ光を所定の位置に合焦させる。つまり、光ディスク上で合焦したレーザ光によって、光スポットが形成されることになる。
【００３８】
そして、光ディスク記録再生装置は、位相差板によって、光ディスク上で反射した反射レーザ光の偏光状態を変更し、この偏光状態が変更された反射レーザ光を、偏光ビームスプリッタによって、半反射させる。そうすると、光ディスク記録再生装置は、集光レンズによって、偏光ビームスプリッタで半反射された反射レーザ光を集光させ、光スポットの数の光検出器で構成されるフォトディテクターアレイによって、集光レンズで集光された反射レーザ光の情報を読み取ることができる。
【００３９】
請求項４記載の光ディスク記録再生装置は、請求項３に記載の光ディスク記録再生装置において、前記レーザ光照射手段が、前記光ディスクの半径方向に対して複数列に、複数個のレーザ光を照射することを特徴とする。
【００４０】
かかる構成によれば、光ディスク記録再生装置は、レーザ光照射手段から光ディスクの半径方向に対して複数列に、複数個のレーザ光を照射するように複数段のレーザ照射口を備えている。これによって、光ディスク上で、互い違いに複数の光スポットが形成されることになる。
【発明の効果】
【００４１】
請求項１に記載の発明によれば、グルーブまたはランド上に、レーザ光照射手段によって形成される所定数の光スポットを配置可能に、グルーブまたはランドの幅を拡幅しているので、従来の１つの光スポットを形成する光ディスク記録再生装置と同様に、トラックジャンプをしないで、しかも、所定数の光スポットによって、データの記録再生を同時に行うことができる。
【００４２】
請求項２に記載の発明によれば、共通記録フォーマット領域を備えることで、従来の光ディスク記録再生装置との互換性を持つことができ、光ディスク記録再生装置の新旧に依存しないといった記録媒体としての汎用性が向上する。
【００４３】
請求項３に記載の発明によれば、光ディスク上に形成される全ての光スポットの位置に基づいて、一括してフォーカシング制御およびトラッキング制御が行われるので、トラッキングの位置決めを容易にし、フォーカシングの精度を悪化させることなく、光ディスクへのデータの記録再生を高速に行うことができる。
【００４４】
請求項４に記載の発明によれば、光ディスクの半径方向に対して複数列に複数個のレーザ光を照射することで、１つのランドまたはグルーブに光スポットの列を２つ以上にすることができ、データの記録密度の高密度化を図ることができる。
【発明を実施するための最良の形態】
【００４５】
次に、本発明を実施するための最良の形態について、適宜、図面を参照しながら詳細に説明する。
〈光ディスク記録再生装置の構成〉
図１は光ディスク記録再生装置のブロック図である。この図１に示すように、光ディスク記録再生装置１は、光ディスクＯＤ上に所定数の光スポットを形成して、データの記録再生を行うもので、制御手段３と、レーザダイオードアレイ（レーザ光照射手段）５と、光導波部（ビームピッチ変換手段）７と、コリメータレンズ９と、偏光ビームスプリッタ１１と、位相差板１３と、対物レンズ１５と、集光レンズ１７と、フォトディテクターアレイ（光検出器）１９とを備えている。
【００４６】
光ディスクＯＤは、面上（ただし、表面はプラスチック部材等の基板でコーティングされている）の記録層に形成されたスパイラル状（渦巻き状）の溝部であるグルーブと、平坦部であるランドを備えている。そして、記録層の所定の領域において、このランドに光スポットＳを光ディスクＯＤの半径方向に列べた際に、所定数の光スポットＳが収まるように、光スポットＳの所定数に応じて、当該ランドの幅が拡幅されている（グルーブの幅は従来と同じ）。このランドの幅が拡幅されている領域を多ビーム記録フォーマット領域とする。
【００４７】
なお、この実施形態は、光ディスクＯＤのランドに、レーザダイオードアレイ５によって形成される全ての光スポットＳが収まるようにランドが刻まれているが、グルーブに所定数の光スポットＳが収まるようにランドを刻んで当該光ディスクＯＤを形成してもよい。この光ディスクＯＤの断面の一部である多ビーム記録フォーマット領域を拡大した模式図を図２（ａ）に示す。
【００４８】
図２（ａ）に示すように、光ディスクＯＤの多ビーム記録フォーマット領域は、２つのグルーブＧの間に位置するランドＬ上に、複数（ｎ個、任意数）の光スポットＳ（Ｓ1、Ｓ2、・・・Ｓn）が収まるように、当該ランドＬが形成されている。つまり、全ての光スポットＳが収まるように、当該光スポットＳの数に応じて、１つのランドＬの幅が拡幅されている。例えば、光スポットＳが４つの場合、４つの光スポットＳがランドＬに配置できる幅にランドＬが形成され、ランドＬの幅は、例えば、Ｂｌｕ−ｒａｙ  Ｄｉｓｃの場合、トラック幅が０．３２μｍであるので、０．３２×４−０．３２／２（グルーブ幅）＝１．１２μｍとなる。
【００４９】
この光ディスクＯＤは、従来の光ディスクと比較すると、従来の光ディスクが１トラック毎にグルーブを刻んだのに対し、ｎトラック毎にグルーブＧを刻んだことと等価であるので、データの記録密度は同じであり、記録可能なデータの総容量に変化はない。しかし、光ディスクＯＤは、光ディスク記録再生装置１によって、従来の光ディスク記録再生装置（１ビームの光ディスク記録再生装置）の場合と同様に、１つのランドＬに複数の光スポットＳを形成することで、トラックジャンプをしないでデータの記録再生の並列処理を実現することができ、記録再生速度を向上させることができる。
【００５０】
なお、別の実施形態として、図２（ｂ）に、グルーブＧの幅を拡幅した場合の光ディスクＯＤ′の断面の一部である多ビーム記録フォーマット領域を拡大した模式図を示す。図２（ｂ）に示すように、光ディスクＯＤ′は、１つのグルーブＧに、所定数の光スポットＳが全て収まるように、光スポットＳの数に応じた幅をグルーブＧが有している多ビーム記録フォーマット領域を備えている。
【００５１】
また、この光ディスクＯＤには、図３に示すように、多ビーム記録フォーマット領域以外に、当該多ビーム記録フォーマット領域よりも内周部分に共通記録フォーマット領域が備えられている。この共通記録フォーマット領域は、単数の光スポットによって、データの記録再生を可能にする領域である。すなわち、この共通記録フォーマット領域は、従来の光ディスクのフォーマット領域と同様に、グルーブの幅とランドの幅とが同じになるように形成された領域である。
【００５２】
なお、これら多ビーム記録フォーマット領域と共通記録フォーマット領域との面積の比率は任意に設定することが可能である。多ビーム記録フォーマット領域および共通記録フォーマット領域のデータ量は、光ディスクの総データ量（総記録容量）に依存しており、例えば、ブルーレイディスクでは、１枚で約２３ＧＢの記録容量がある。それゆえ、この実施形態では、多ビーム記録フォーマット領域の面積と共通記録フォーマット領域の面積とが約２３０００対１に設定されている。また、共通記録フォーマット領域を、多ビーム記録フォーマット領域よりも外周部分に形成することも可能である。さらに、ランドおよびグルーブに両方の記録の場合、多ビーム記録フォーマット領域と共通記録フォーマット領域とを交互に形成することも可能である。
【００５３】
ここで、多ビーム記録フォーマット領域と共通記録フォーマット領域と特徴について述べる。
多ビーム記録フォーマット領域は、複数の光スポットＳを用いて、並列にデータの記録再生を行う領域である。この多ビーム記録フォーマット領域では、１トラック（１つのランドまたは１つのグルーブ）上に形成（配置）する光スポットＳの数を任意数に予め設定することができる。なお、予め設定する光スポットＳの数に関する情報は、共通記録フォーマット領域に予め記録させておく必要がある。
【００５４】
共通記録フォーマット領域は、全ての種類の光ディスク記録再生装置および光ディスクで共通するフォーマット領域（物理フォーマット）である。この共通記録フォーマット領域は、単数（１つ）の光スポット（１ビーム、或いは、１チャンネル）のみで、データの記録再生を行うこととしている。なお、この共通記録フォーマット領域には、多ビーム記録フォーマット領域にて形成される光スポットＳの数に関する情報、当該光ディスクＯＤを識別するためのメディアＩＤ等のメタ情報と、当該光ディスクＯＤの記録層の層数等の情報とが予め記録（格納）されている。共通記録フォーマット領域では、テキストデータのみを扱っているので、共通記録フォーマット領域で確保すべきデータ量は、多ビーム記録フォーマット領域のデータ量に比べて少なくてもよい。
【００５５】
図１に戻って、光ディスク記録再生装置１の構成の説明を続ける。
制御手段３は、光ディスク記録再生装置１の制御全般を司るもので、光ディスクＯＤに照射するレーザ光のビーム数および出射強度を制御すると共に、レーザ光によって光ディスクＯＤ上に形成される光スポットの位置に基づいて、フォーカシング制御およびトラッキング制御を行うものである。つまり、この制御手段３は、ドーブプリズムを回転させる駆動手段（図示せず）の制御を行うと共に、対物レンズ１５から光ディスクＯＤの表面までの距離を変える移動手段（図示せず）を制御するものである。
【００５６】
この制御手段３は、フォトディテクターアレイ１９で検出した面内位置信号（光スポットＳによるエッジ検出の有無に関する信号）および距離信号（対物レンズ１５と光ディスクＯＤとの距離に関する信号）を取得し、対物レンズ１５から光ディスクＯＤの表面までの距離を移動させる移動手段（図示せず）およびドーブプリズムを回転させる駆動手段（図示せず）を制御する制御信号を出力する。
【００５７】
すなわち、制御手段３は、距離信号に基づいて、後記するフォトディテクターアレイ１９により、受光した反射レーザ光によって形成される光スポットＳの形状が真円に近づいた場合、対物レンズ１５と光ディスクＯＤとの距離が最適であると判断する。また、光スポットＳの形状が水平方向に伸びた楕円に近づいた場合、対物レンズ１５と光ディスクＯＤとの距離が近づき過ぎと判断して、移動手段（図示せず）によって、光ディスクＯＤの表面から対物レンズ１５を遠ざける。また、光スポットＳの形状が垂直方向に伸びた楕円に近づいた場合、対物レンズ１５と光ディスクＯＤとの距離が遠くなりすぎたと判断して、移動手段（図示せず）によって、光ディスクＯＤの表面に対物レンズ１５を近づける。
【００５８】
ここで、この制御手段３によって行われるフォーカシング制御およびトラッキング制御について説明する。
まず、フォーカシング制御については、光スポットＳの数ｎが２つ以下の場合（光スポットＳ1、Ｓ2）、光スポットＳ1または光スポットＳ2からの反射レーザ光（反射ビーム、再生ビーム）を用いて、従来の光ディスク記録再生装置と同様の方式で行う。
【００５９】
光スポットＳの数ｎが３つ以上の場合、光ディスクＯＤの最内側および最外側に形成される光スポットＳ（光スポットＳ1および光スポットＳn）からの反射レーザ光（反射ビーム）を除いた（ｎ−２）個の反射レーザ光（光スポットＳ2から光スポットＳn-1の反射ビーム）の１つを用いて、フォーカシング制御を行う。この場合、グルーブとランドとの境界から離れた光スポットＳからの反射レーザ光（反射ビーム）を用いて、フォーカシング制御を行うことができるので、グルーブとランドとの境界付近の領域で発生する回折ビームによる影響を飛躍的に小さくすることができる。
【００６０】
例えば、光ディスクＯＤの半径方向における最内側の光スポットＳ1と、最外側の光スポットＳnとの距離が短い場合（対物レンズ１５の開口数が０．８５の場合、３０μｍ程度以内）、全ての光スポットＳを同一平面上（同一ランド上）に形成（配置）することが可能になるため、ある１つの光スポットＳについて、フォーカシング制御を行えば、自動的に他の（ｎ−１）個の光スポットＳに関しても光ディスクＯＤ上に合焦（集光）させることが可能になる。
【００６１】
フォーカシング制御の方法としては、例えば、複数の光スポットＳの真ん中の光スポットＳの反射レーザ光（反射ビーム）のみを用いて行う非点収差方式等を適用することが可能である。
【００６２】
続いて、トラッキング制御について、図４、図５を参照して説明する（適宜、図１参照）。
トラッキング制御については、光スポットＳの数が２つ以上の場合、光ディスクＯＤの半径方向における最内側の光スポットＳ1および最外側の光スポットＳnを用いて行う。なお、光スポットＳの数が１つの場合は、従来の光ディスク記録再生装置と同様の方式で行う。また、このトラッキング制御の前提条件として、従来の光ディスク記録再生装置と同等の記録密度（容量）を持つ多ビーム光ディスク記録再生装置（光ディスク記録再生装置１）では、光スポットの合計サイズよりもトラック幅は狭い。それゆえ、最内周の光スポットＳ1を中心にして光スポット全体の像を回転制御する必要がある。
【００６３】
光スポットＳ1によって、ランドの内周側のエッジ（グルーブとランドとの境界）を検出し、光スポットＳnによって、ランドの外周側のエッジを検出し、これらエッジが検出できたか否か（エッジ検出の有無）に従って、次の（１）〜（４）に述べる判定アルゴリズムによりトラッキング制御を行う。
【００６４】
（１）光スポットＳ1によって、ランドの内周側のエッジが検出できて（検出ＯＫ）、光スポットＳnによって、ランドの外周側のエッジが検出できなかった（未検出）場合、図４に示したｘ軸の正の方向（ｘ軸（正））に、すなわち、図５（ア）に示したように、光ディスク記録再生装置１は、光スポットＳの像を平行移動させる。つまり、光スポットＳ1から光スポットＳnのうちのいずれかが左側のエッジを検出している場合、光スポットＳ1の左端が内周側のエッジに接するまで、ｘ軸の正方向に全体を平行移動する。
【００６５】
（２）光スポットＳ1によって、ランドの内周側のエッジが検出できなくて（未検出）、光スポットＳnによって、ランドの外周側のエッジが検出できた（検出ＯＫ）場合、図４に示したｘ軸の負の方向（ｘ軸（負））に、すなわち、図５（イ）に示したように、光ディスク記録再生装置１は、光スポットＳの像を平行移動させる。つまり、光スポットＳ1から光スポットＳnのうちのいずれもが内周側のエッジを検出していない場合、光スポットＳ1の左端が内周側のエッジに接するまで、ｘ軸の負方向に全体を平行移動する。
【００６６】
（３）光スポットＳ1によって、ランドの内周側のエッジが検出できて（検出ＯＫ）、光スポットＳnによって、ランドの外周側のエッジが検出できた（検出ＯＫ）場合、光スポットＳ1を中心にθｘの正の方向（θｘ軸（正））に、すなわち、図５（ウ）に示したように、光ディスク記録再生装置１は、光スポットＳの像を回転移動させる。つまり、光スポットＳ1から光スポットＳnのうちのいずれかが外周側のエッジを検出している場合、光スポットＳnの右側が外周側のエッジに接するまで、光スポットＳ1を中心にθｘ軸の正方向に回転制御する。
【００６７】
（４）光スポットＳ1によって、ランドの内周側のエッジが検出できなくて（未検出）、光スポットＳnによって、ランドの外周側のエッジが検出できなかった（未検出）場合、光スポットＳ1を中心にθｘの負の方向（θｘ軸（負））に、すなわち、図５（エ）に示したように、光ディスク記録再生装置１は、光スポットＳの像を回転移動させる。つまり、光スポットＳ1から光スポットＳnのうちのいずれもが外周側のエッジを検出していない場合、光スポットＳnの右側が外周側のエッジに接するまで、光スポットＳ1を中心にθｘ軸の負方向に回転制御する。
【００６８】
なお、これら（１）〜（４）の判定アルゴリズムを繰り返すことにより、光スポットＳ（光スポットＳ1〜光スポットＳn）の位置を精度よくトラッキング制御することができる。
【００６９】
また、この実施形態では、光スポットＳ1から光スポットＳnまでの複数で構成される光スポットＳは、拡幅されたランドまたはグルーブに形成（配置）されるため、次世代ＤＶＤ規格（Ｂｌｕ−Ｒａｙ−Ｄｉｓｃ規格）に基づいて製造される次世代ＤＶＤ装置等の高密度の光ディスク記録再生装置と互換性を保つことができる。更に、光ディスクＯＤの半径方向における最内側の光スポットＳ1および最外側の光スポットＳnの位置に基づいて、トラッキング制御を行っているので、トラッキング制御用の専用の光源を追加する必要がない。
【００７０】
図１に戻って、光ディスク記録再生装置１の構成の説明を続ける。
レーザダイオードアレイ５は、複数の発光ダイオード（レーザーダイオード）から構成されるレーザ光照射口を備えてなり、制御手段３による制御に従って、所定の発振波長を持つレーザ光を照射（出射）するものである。この実施形態では、レーザダイオードアレイ５は、４つのレーザ照射口（レーザ光のビーム数が４つになる）を備えており、このレーザ照射口からは同一の発振波長を持つレーザ光が照射される。
【００７１】
例えば、このレーザダイオードアレイ５は、制御手段３による制御に従って、複数のレーザ光を同時に照射したり、ある特定箇所のレーザ光照射口のみから単数のレーザ光を照射したりすることが可能である。また、このレーザダイオードアレイ５は、光ディスクＯＤにデータを記録する場合（書き込む場合）と、当該光ディスクＯＤからデータを読み取る場合（再生する場合）とにおいて、照射するレーザ光の光出力を調整することが可能である。
【００７２】
ここで、レーザダイオードアレイ５で配置されている発光ダイオード（レーザーダイオード）の配置精度について説明する。レーザーダイオードそれぞれの設計間隔は、±６５ｎｍであり、製作時の誤差である±６５／２ｎｍ以内のゆらぎが想定されている。
従来では、トラックキングに要求される追従精度（＞光スポットの配置精度）は、幅が１６０ｎｍであるランド（またはグルーブ）上に±１０ｎｍ以内で光スポットを配置することを命題とし、実際には、光ディスク上に形成される光スポットの間隔には±２０〜３０ｎｍの誤差が発生している。
【００７３】
この実施形態では、トラックキングに要求される追従精度（＞光スポットの配置精度）は、幅が１１２０ｎｍであるランド（またはグルーブ）上に光スポットＳを配置することを命題とし、実際には、光ディスク上に形成される両端の光スポット（Ｓ1とＳn）の間隔には±２０〜３０ｎｍの誤差が発生している。
【００７４】
これにより、この実施の形態では、光ディスクのランドの幅が広がっているので、±１０ｎｍよりも配置精度はゆるくなることが予測される。そして、光ディスク上に形成される光スポットの間隔の誤差は変わらないので、当該装置１では、従来の装置と比べ、精度よく高速にトラッキングできる可能性が高い。
【００７５】
光導波部７は、レーザダイオードアレイ５から照射（出射）された複数（ここでは４つ）のレーザ光を集光して、コリメータレンズ９に導波するものである。この光導波部７は、レーザダイオードアレイ５に対向する対向面にレーザ光の入射口を備えており、コリメータレンズ９に対向する対向面にレーザ光の出射口を備えている。
なお、この光導波部７の代わりに、マイクロレンズアレイを用いてもよい。このマイクロレンズアレイは、コリメータレンズ９の対向面に合焦する複数の凸レンズによって形成されている。
【００７６】
コリメータレンズ９は、光導波部７から出射されたレーザ光（レーザダイオードアレイ５から発散された発散ビーム）を、平行光にしたレーザ光を偏光ビームスプリッタ１１に出射するものである。
【００７７】
偏光ビームスプリッタ１１は、コリメータレンズ９から出射された、平行光のレーザ光を透過させると共に、光ディスクＯＤの面上で反射した反射レーザ光（反射ビーム）を半反射して、位相差板１３で偏光状態が変更された反射レーザ光を集光レンズ１７に出射するものである。
【００７８】
位相差板１３は、偏光ビームスプリッタで透過された、平行光のレーザ光をさらに透過させると共に、光ディスクＯＤの面上で反射した反射レーザ光（反射ビーム）の偏光状態を変更するものである。この実施形態では、位相差板１３に１／４波長板を採用し、反射レーザ光の偏光状態は、この位相差板１３によって直線偏光であれば円偏光または楕円偏光に、円偏光であれば直線偏光に偏光状態（偏光面）が変更される。なお、１／４波長板の代わりに１／２波長板を採用した場合、Ｐ偏光であればＳ偏光に、Ｓ偏光であればＰ偏光に、円偏光（右旋）であれば円偏光（左旋）に、円偏光（左旋）であれば円偏光（右旋）に変更される。
【００７９】
対物レンズ１５は、所定の開口数を持つ凸レンズを採用し、位相差板１３を透過した平行光のレーザ光を、所定の位置に合焦させて、光ディスクＯＤ上に光スポットＳを形成させるものである。
【００８０】
集光レンズ１７に、一般的な円柱レンズ（シリンドリカルレンズ、かまぼこレンズ）を採用し、偏光ビームスプリッタ１１で半反射された反射レーザ光（反射ビーム）を、フォトディテクターアレイ１９の検出面に集光させるものである。
【００８１】
フォトディテクターアレイ１９は、光スポットの数に応じた光検出器からなり、この光検出器は、例えば、４分割型の一般的な受光素子（セレンやシリコン材料を用いた光電変換素子）で構成され、集光レンズ１７から出射された反射レーザ光（反射ビーム）の光強度を出力し、さらに、光スポットＳによる再生像によりエッジ検出の有無を判定し、面内位置信号として出力し、また、光スポットＳによる再生像の形状を検出し、距離信号として出力するものである。これらの光強度、面内位置信号および距離信号は、光検出器ごとに出力される。
【００８２】
この光ディスク記録再生装置１によれば、光ディスクＯＤ上に形成される光スポットＳの最内側の光スポットＳ1および最外側の光スポットＳnの位置に基づいて、制御手段３によってトラッキング制御および光スポットＳ2から光スポットＳn-1の位置に基づいて、制御手段３によってフォーカシング制御が行われるため、トラッキングの位置決めを容易にし、フォーカシングの精度を悪化させることなく、光ディスクＯＤへのデータの記録再生を高速に行うことができる。
【００８３】
また、この光ディスク記録再生装置１によれば、レーザダイオードアレイ５によって、光ディスクＯＤの半径方向に対して複数列に複数個のレーザ光を照射することで、１つのランドＬ（図２参照）またはグルーブＧ（図２参照）に光スポットＳを２つ以上配置することができ、データの記録再生を高速に行うことができる。
【００８４】
また、ここで用いられている光ディスクＯＤによれば、多ビーム記録フォーマット領域によって、１つのランドＬ（図２参照）上に全ての光スポットＳを配置可能に拡幅しているので、光ディスクＯＤが１周（何周）しても、トラックジャンプをしないで、しかも、複数の光スポットＳによって、データの記録再生を並列に（同時に）行うことができる。
【００８５】
また、光ディスクＯＤによれば、当該光ディスクＯＤの内周部分に、共通記録フォーマット領域を備えることで、従来の光ディスク記録再生装置との互換性を持つことができ、光ディスク記録再生装置の新旧に依存しないといった記録媒体としての汎用性が向上する。
【００８６】
さらに、将来、技術の進展に伴って、光ディスクＯＤにデータの記録・再生を高速に行うために、ビーム数が増加していく（バージョンアップしていく、例えば、２ビーム光ディスク記録再生装置、３ビーム光ディスク記録再生装置）ことが想定される。しかし、この光ディスク記録再生装置１および光ディスクＯＤによれば、新たな光ディスク記録再生装置のビーム数に拘わらず、光ディスク記録再生装置１では、光ディスクＯＤの共通記録フォーマット領域に記録されているデータを再生することができ、光ディスクＯＤの種類（バージョン。例えば、２ビーム用光ディスク、３ビーム用光ディスク等）に応じて、使用すべきビーム数を知ることができる。この実施形態では、光ディスクＯＤと、光ディスク記録再生装置１とのビーム数（チャンネル数）が一致している場合について説明したが、一致していない場合には、光ディスク記録再生装置１では、以下に述べる処理を行う。
【００８７】
光ディスク記録再生装置１のバージョンが光ディスクＯＤのバージョンよりも高い場合、つまり、光ディスク記録再生装置１に備えられているビーム数が光ディスクＯＤで設定されているビーム数よりも多い場合、光ディスクＯＤの共通記録フォーマット領域で要求されているビーム数だけ、光ディスク記録再生装置１ではビーム数を有効にする。例えば、４つのビームのうち２つのビームを有効にして、２ビーム用光ディスクの多ビーム記録フォーマット領域にデータの書き込みを行ったり、書き込まれているデータを再生したりする。
【００８８】
光ディスク記録再生装置１のバージョンが光ディスクＯＤのバージョンよりも低い場合、つまり、光ディスク記録再生装置１に備えられているビーム数が光ディスクＯＤで設定されているビーム数よりも少ない場合、光ディスク記録再生装置１では、光ディスクＯＤの多ビーム記録フォーマット領域にデータの記録再生が行えないことを利用者に報知し、記録再生装置の変更を促す。
【００８９】
〈光ディスク記録再生装置の動作〉
次に、図６に示すフローチャートを参照して、光ディスク記録再生装置１の動作について説明する（適宜、図１、図２参照）。
まず、光ディスク記録再生装置１は、制御手段３からの制御に従い、レーザダイオードアレイ５によって、複数（４つ）のレーザ光の照射を開始する（ステップＳ１）。続いて、光ディスク記録再生装置１は、光導波部７によって、レーザービーム（レーザ光）の間隔（ピッチ）を縮小する（ステップＳ２）、コリメータレンズ９によって、光導波部７からのレーザービーム（発散ビーム）を多重（合成）し、平行光にする（ステップＳ３）。
【００９０】
そして、光ディスク記録再生装置１は、コリメータレンズ９で平行光にされたレーザ光を、ビームスプリッタ１１、位相差板１３を透過させて、対物レンズ１５によって、光ディスクＯＤの面上に合焦させる。その時、光ディスクＯＤの面上に合焦したレーザ光により、複数（４つ）の光スポットＳが形成される（ステップＳ４）。
【００９１】
そして、光ディスク記録再生装置１は、光ディスクＯＤ上で反射した反射レーザ光（反射ビーム）の偏光状態を、位相差板１３によって、円偏光から直線偏光（Ｓ偏光）に変え（ステップＳ５）、ビームスプリッタ１１によって、直線偏光（Ｓ偏光）の反射レーザ光を半反射させて（ステップＳ６）、集光レンズ１７に出射する。
【００９２】
そうすると、光ディスク記録再生装置１は、集光レンズ１７によって、半反射された反射レーザ光を集光し（ステップＳ７）、フォトディテクターアレイ１９によって、反射レーザ光の光強度を検出し（ステップＳ８）、制御信号を制御手段３に出力する。
【００９３】
以上、本発明の実施形態について説明したが、本発明は前記実施形態には限定されない。例えば、本実施形態では、光ディスク記録再生装置１として説明したが、当該装置１の各構成の処理を、光ディスクＯＤにデータを記録再生する１つずつの過程ととらえ、光ディスク記録再生方法とみなすことも可能である。この場合、光ディスク記録再生装置１と同様の効果を得ることができる。
【図面の簡単な説明】
【００９４】
【図１】本発明の実施形態に係る光ディスク記録再生装置のブロック図である。
【図２】本発明の実施形態に係る光ディスクの記録面の一部を拡大して示した模式図であり、（ａ）はランドのみを拡幅した場合を示した図であり、（ｂ）はグルーブのみを拡幅した場合を示した図である。
【図３】本発明の実施形態に係る光ディスクの全体を示した図である。
【図４】光ディスクのトラッキング制御について説明した図である。
【図５】光ディスクのトラッキング制御について説明した図であり、（ア）がＸ軸の正方向に平行移動した場合を示した図であり、（イ）がＸ軸の負方向に平行移動した場合を示した図であり、（ウ）がθｘ軸の正方向に回転移動した場合を示した図であり、（エ）がθｘ軸の負方向に回転移動した場合を示した図である。
【図６】図１に示した光ディスク記録再生装置の動作を説明したフローチャートである。
【図７】従来の多ビーム光ディスク記録再生装置を説明した図であり、（ａ）は光ヘッドと光ディスクとの概略を示した図であり、図７（ｂ）および図７（ｃ）は光ディスク表面の概略を示した図である。
【符号の説明】
【００９５】
１            光ディスク記録再生装置
３            制御手段
５            レーザダイオードアレイ（レーザ光照射手段）
７            光導波部（ビームピッチ変換手段）
９            コリメータレンズ
１１          ビームスプリッタ
１３          位相差板
１５          対物レンズ
１７          集光レンズ
１９          フォトディテクターアレイ
ＯＤ  ＯＤ′  光ディスク
【図１】
2006209811.tif 000003
【図２】
2006209811.tif 000004
【図３】
2006209811.tif 000005
【図４】
2006209811.tif 000006
【図５】
2006209811.tif 000007
【図６】
2006209811.tif 000008
【図７】
2006209811.tif 000009